(57)【要約】【課題】  ユニットルームにおける天井パネルの取付構造であって、容易に取付けられ、外れにくい天井パネルの取付構造を提供する。【解決手段】  立設された壁パネル１の上方に天井パネル２が上載され、天井パネル２の周端に設けられた係合部３が、壁パネル１の上端に設けられた弾性を有する被係合部４に嵌合されることで、天井パネル２が壁パネル１に係合保持される天井パネルの取付構造において、係合部３が被係合部４の変形に抗して嵌合するとともに、被係合部４の変形を抑制する弾性抑制部材５を設け、弾性抑制部材５を動作させることで被係合部４の変形を抑制し、弾性抑制部材５を元に戻すことでその抑制が解除される壁パネルの取付構造である。【選択図】図３
2006207148.tif 000002
【特許請求の範囲】
【請求項１】
立設された壁パネルの上方に天井パネルが上載され、天井パネルの周端に設けられた係合部が、壁パネルの上端に設けられた弾性を有する被係合部に嵌合されることで、天井パネルが壁パネルに係合保持される天井パネルの取付構造において、係合部が被係合部の変形に抗して嵌合するとともに、被係合部の変形を抑制する弾性抑制部材を設け、弾性抑制部材を動作させることで被係合部の変形を抑制し、弾性抑制部材を元に戻すことでその抑制が解除されることを特徴とする天井パネルの取付構造。
【請求項２】
弾性抑制部材が係合部に支持され、弾性抑制部材が被係合部を支持することで、被係合部の変形を抑制するものであることを特徴とする請求項１記載の天井パネルの取付構造。
【請求項３】
弾性抑制部材が被係合部に支持され、弾性抑制部材が係合部に係止されることで、被係合部の変形を抑制するものであることを特徴とする請求項１記載の天井パネルの取付構造。
【発明の詳細な説明】
【技術分野】
【０００１】
本願発明は、立設された壁パネルに上載される天井パネルの取付構造に関するもので、特には浴室等のユニットルームに使用される。
【背景技術】
【０００２】
従来から、ユニットルーム形式の浴室やトイレ等では、立設された壁パネルの上方に天井パネルが上載されており、その組み立て方法としては、作業者が室内から壁や床パネルを組み立てる内組み工法がとられる。この内組み工法を利用した天井パネルの取付方法としては、天井パネルを壁パネルに上載した後、室内側からねじ止めすることで、壁パネルと天井パネルを固定することが一般的であった。しかしながら、この方法では、室内からねじが見えてしまうために見栄えが悪くなってしまう。又、特開平６―３３６７８６号公報には、図７（ａ）に示す如く、ねじ２２を室内側から見えなくするための化粧部材２３を設けることが開示されている。しかしながら、この方法では、天井パネル２を壁パネル１に直接ねじ２２で固定するため取付強度は強いが、高い位置にねじ２２を全周にわたって取り付けなくてはならないため施工に手間がかかり、更に、ねじ２２の代わりに化粧部材２３が目立ってしまうために、改善の余地があった。
【０００３】
又、特開平９−３２８９１３号公報には、図７（ｂ）に示す如く、壁パネル１に被係合部４を設ける一方、天井パネル２にクリップ部２４を設け、被係合部４とクリップ部２４を係合させることで、天井パネル２を壁パネル１に取り付けることが開示されている。これにより、天井パネル２を容易に取り付けることができ、室内側からねじ等の取付具を見えなくすることができるが、この取付方法では、天井パネル２の清掃時等、天井パネル２に対して不意に大きな力がかかると、天井パネル２が外れてしまう可能性があった。
【特許文献１】特開平６―３３６７８６号公報
【特許文献２】特開平９−３２８９１３号公報
【発明の開示】
【発明が解決しようとする課題】
【０００４】
本願発明は、上記背景技術に鑑みて発明されたものであり、その課題は、見栄がよく、容易に取付けられ、且つ、外れにくい天井パネルの取付構造を提供することである。
【課題を解決するための手段】
【０００５】
上記課題を解決するために、本願発明は、立設された壁パネルの上方に天井パネルが上載され、天井パネルの周端に設けられた係合部が、壁パネルの上端に設けられた弾性を有する被係合部に嵌合されることで、天井パネルが壁パネルに係合保持される天井パネルの取付構造において、係合部が被係合部の変形に抗して嵌合するとともに、被係合部の変形を抑制する弾性抑制部材を設け、弾性抑制部材を動作させることで被係合部の変形を抑制し、弾性抑制部材を元に戻すことでその抑制が解除されることを特徴とする天井パネルの取付構造である。
【発明の効果】
【０００６】
本願発明の天井パネルの取付構造においては、天井パネルの周端に設けられた係合部が、壁パネルの上端に設けられ弾性を有する被係合部に嵌合されることで天井パネルが壁パネルに係合保持されるため、取り付けが非常に容易で見栄えが良く、被係合部の変形を抑制する弾性抑制部材を設けているため係合保持された天井パネルに力がかかったとき、天井パネルが外れることを防止できる。
【発明を実施するための最良の形態】
【０００７】
図１〜３は、本願の請求項１及び請求項２の発明に対応した第一の実施形態である天井パネルの取付構造を示している。この実施形態の天井パネルの取付構造では、立設された壁パネル１の上方に天井パネル２が上載され、天井パネル２の周端に設けられた係合部３が、壁パネル１の上端に設けられた弾性を有する被係合部４に嵌合されることで、天井パネル２が壁パネル１に係合保持される天井パネルの取付構造において、係合部３が被係合部４の変形に抗して嵌合するとともに、被係合部４の変形を抑制する弾性抑制部材５を設け、弾性抑制部材５を動作させることで被係合部４の変形を抑制し、弾性抑制部材５を元に戻すことでその抑制が解除される。
【０００８】
又、弾性抑制部材５が係合部３に支持され、弾性抑制部材５が被係合部４を支持することで、被係合部４の変形を抑制するものである。
【０００９】
以下、この第一の実施形態の天井パネルの取付構造を、より具体的詳細に説明する。
【００１０】
この実施形態の天井パネルの取付構造では、立設された壁パネル１の上方に天井パネル２が上載され、天井パネル２の周端に係合部３が設けられる一方、壁パネル１の上端に弾性を有する被係合部４が設けられている。
【００１１】
壁パネル１はパネル状の基材６と、基材６の表面を覆う化粧板７と、被係合部４とを備えている。基材６は、石膏材料や発泡樹脂等の断熱素材でできており、化粧板７は室内側の表面が樹脂で化粧された金属板である。この化粧板７は、基材６の室内側表面から上端面にわたって覆うとともに、さらに基材６の上端面から室外側に延設され、その端部には上方に立ち上がった立上り部７ａが設けられている。被係合部４は樹脂製で、断面が上に開口したコ字型の長尺形状であり、化粧板７を挟んで基材６の上端に途切れることなく設けられている。この被係合部４は、立上り部７ａに当接されるとともに結合部材８によって立上り部７ａに固定されている。被係合部４の室内側の内側立片９には、被係合部４の内部側に突起した返し片１０が設けられている。
【００１２】
一方、天井パネル２は樹脂製で、図１に示す如く、二分割されており、少なくともその一方には点検口１１が設けられている。二分割されている天井パネル２が接合される部分には、接合部１２が設けられており、この接合部１２により二分割されている天井パネル２は一枚に接合される。この天井パネル２の周端は、図２〜４に示す如く、断面が下側に開口したコ字型の係合部３が形成されており、係合部３には、弾性抑制部材５を支持するための取付孔１３が複数個、外周に沿って設けられている。係合部３の周端部には、係合片１４が室内側及び室外側に突出して設けられおり、この場合、係合部３は外周に沿って、一定間隔をあけて複数ヶ所に設けている。係合部３内部の壁パネル１の化粧板７に対向する面には、シール部材１５が設けられている。又、天井パネル２の上方には断熱材１６が設けられている。
【００１３】
又、この実施形態の天井パネルの取付構造においては、弾性抑制部材５として固定ビス５ａを用い、係合部３の室内側の片である室内側立片１７に固定ビス取付孔１３ａを設けている。
【００１４】
続いて、天井パネル２の壁パネル１への取り付け手順と、弾性抑制部材５の設け方について記載する。二枚に分割された天井パネル２を、それぞれ壁パネル１の上方に載置し、点検口１１から、二枚に分割された天井パネル２を接合部１２を介して接合させる。そして、係合片１４が被係合部４の上方に位置するように配置し（図２（ａ））、天井パネル２を押し下げる。すると、係合片１４が返し片１０に接触し、弾性を有する被係合部４の返し片１０が室内に向かって変形する（図２（ｂ））。さらに天井パネル２を押し下げると、係合部３が被係合部４の変形に抗して被係合部４内に嵌合され、被係合部４は、係合部３を嵌合する前と同じ形状となる（図２（ｃ））。続いて、図３に示す如く、固定ビス５ａを固定ビス取付孔１３ａから、返し片１０に向かってをねじ込むように動作させ、固定ビス５ａを返し片１０に当接させ、返し片１０を支持する。これにより、返し片１０の室内側への変形を抑制し、係合部３が被係合部４から外れなくなる。以上により、天井パネル２が壁パネル１に固定され、その取り付けが完了する。なお、この固定ビス５ａを逆方向にねじって、固定ビス５ａを返し片１０から遠ざけて元に戻すと、その抑制が解除され、再び返し片１０が室内側に変形できるようになり、係合部３は被係合部４から外せる状態となる。
【００１５】
なお、この実施形態の天井パネルの取付構造において、弾性抑制部材５は天井パネル２の全周にわたって設けてもよいが、弾性抑制部材５に関する作業を点検口１１から行う都合上、弾性抑制部材５を点検口１１から手の届く範囲で設け、天井パネル２に対して下から力がかかったときに天井パネル２が壁パネル１から外れない程度の取付強度を保っていれば良い。又、この場合、被係合部４を壁パネル１の全周に設け、係合部３を天井パネル２の周端に一定間隔をあけて設けたが、係合部３と被係合部４が係合しやすく、又、その取付強度が十分に確保できるのであれば、係合部３及び被係合部４を全周に設けるか、一定間隔で設けるかについては適宜選択すれば良い。
【００１６】
従って、この実施形態の天井パネルの取付構造においては、天井パネル２の周端に設けられた係合部３が、壁パネル１の上端に設けられ弾性を有する被係合部４に嵌合されることで天井パネル２が壁パネル１に係合保持されるため、ねじ等の取付具が室内から見えず見栄えが良く、取付具を隠すための化粧部材を設ける必要もない。又、係合部３と被係合部４とを合わせ、天井パネル２を下に押し込むだけで、係合部３と被係合部４が嵌合され、互いに係合保持されるために、天井パネル２と壁パネル１とを直接ビスで固定するのに比べて容易に取り付けられ、作業工程を減らすことができる。
【００１７】
又、被係合部４の変形を抑制する弾性抑制部材５を設けているため、天井パネル２の清掃時等、係合保持された天井パネル２に対して力が加わっても、天井パネル２が容易に外れることを防止できる。それに加え、弾性抑制部材５を元に戻すことで、被係合部４の変形の抑制が解除されるため、一度取り付けた天井パネル２を取り外すこともでき、リフォームにも都合が良い。
【００１８】
又、弾性抑制部材５が係合部３に支持されているため、弾性を有する被係合部４を、強固に支持することができる。それに加え、弾性抑制部材５が被係合部４を支持することで被係合部４の変形を抑制するため、係合部３と被係合部４が嵌合されていれば、弾性抑制部材５を設ける箇所は天井パネル２が外れないために最小限必要な部分だけでよく、弾性抑制部材５の取り付け位置やその個数を細かく気にする必要がない。
【００１９】
又、弾性抑制部材５に関する作業は、点検口１１から行うことになるが、弾性抑制部材５に固定ビス５ａを用い、点検口１１から良く見える室内側立片１７に対して固定ビス５ａをねじ込むため、非常に施工しやすい。
【００２０】
図１、図２及び図４は、本願の請求項１及び請求項２の発明に対応した第二の実施形態である天井パネルの取付構造を示している。この実施形態である天井パネルの取付構造では、弾性抑制部材５として略Ｌ字型で棒状のスペーサー５ｂを用いている。又、係合部３の天井に平行な部分である天井部１８に、スペーサー取付孔１３ｂを設けている。
【００２１】
次に、天井パネル２の壁パネル１への取り付け手順と、弾性抑制部材５の設け方について記載する。天井パネル２の係合部３と壁パネル１の被係合部４とを嵌合させるまでの手順は、図２（ａ）〜（ｃ）に示した第一の実施形態と同様である。続いて、図４に示す如く、スペーサー５ｂをスペーサー取付孔１３ｂから、返し片１０と室内側立片１７との間に挿入されるように動作させる。これにより、係合部３に支持されたスペーサー５ｂが返し片１０を支持し、返し片１０の室内側への変形を抑制することで、係合部３が被係合部４から外れなくなる。以上により、天井パネル２が壁パネル１に固定され、その取り付けが完了する。なお、このスペーサー５ｂを取り外して元に戻すと、その抑制が解除され、再び返し片１０が室内側に変形できるようになり、係合部３は被係合部４から外すことができるようになる。
【００２２】
従って、この実施形態の天井パネルの取付構造においては、スペーサー５ｂ取付孔１３にスペーサー５ｂを挿入するだけで被係合部４の変形を抑制できるため、その取り付けが非常に容易であり、又、取り外しも容易である。
【００２３】
なお、それ以外の構成については第一の実施形態と同じであり、効果についても同様の効果を奏する。
【００２４】
図１、図５及び図６は、本願の請求項１及び請求項３の発明に対応した第三の実施形態である天井パネルの取付構造を示している。この実施形態の天井パネルの取付構造は、弾性抑制部材５が被係合部４に支持され、弾性抑制部材５が係合部３に係止されることで、被係合部４の変形を抑制するものである。
【００２５】
以下、この第三の実施形態の天井パネルの取付構造を、より具体的詳細に説明する。
【００２６】
この実施形態の天井パネルの取付構造では、被係合部４は、その断面が室内側に開口した略Ｌ字型であり、化粧板７の立上り部７ａを挟みこんで一体に成形されることで、化粧板７に固定されている。この被係合部４の立片１９には、室内側に突起した返し片１０が設けられている。この返し片１０には、フランジ付きねじ５ｃを取り付けるためのフランジ付きねじ取付孔１３ｃが設けられている。この場合、フランジ付きねじ取付孔１３ｃは、被係合部４の長さ方向に沿って、一定間隔で設けられている。又、被係合部４の室内側の端部には、固定片２０が立設されており、その上端は室内側に折れ曲がっている。
【００２７】
一方、天井パネル２は、その周端に係合部３が設けられており、その断面は、外側に開口した略逆Ｌ字型で、その端部には、上下に突出した係合片１４が設けられている。
【００２８】
続いて、この実施形態における天井パネル２の取り付け手順と、弾性抑制部材５の設け方について記載する。天井パネル２を、係合片１４が被係合部４の上方に位置するように配置し（図５（ａ））、天井パネル２を押し下げる。すると、係合片１４が返し片１０に接触し、弾性を有する被係合部４の返し片１０が室外に向かって変形する（図５（ｂ））。さらに天井パネル２を押し下げると、係合部３が被係合部４の変形に抗して被係合部４内に嵌合され、係合片１４の下部と固定片２０及び係合片１４の上部と立片１９とが当接された状態となり、被係合部４は係合部３を嵌合する前と同じ形状となる（図５（ｃ））。続いて、図６に示す如く、フランジ付きねじ５ｃを、フランジ部２１で係合部３を挟むようにして、フランジ付きねじ取付孔１３ｃにねじ込む。このことで、フランジ付きねじ５ｃが被係合部４に支持され、フランジ部２１が係合部３に係止されることで、立片１９の室外側への変形が抑制される。これにより、係合部３が被係合部４に固定され、天井パネル２が壁パネル１に固定される。なお、このフランジ付きねじ５ｃを逆方向にねじってフランジ部２１が係合部３を挟まないように元に戻すと、その抑制が解除され、再び立片１９が室外側に変形できるようになり、係合部３は被係合部４から外すことができるようになる。
【００２９】
従って、この実施形態における天井パネルの取付構造においては、弾性抑制部材５が被係合部４に支持されると共に係合部３に係止されることで被係合部４の変形を抑制しており、弾性抑制部材５を介して係合部３と被係合部４とが係止されているために、天井パネル２を壁パネル１に強固に取り付けることができ、天井パネル２が外れにくい。
【００３０】
又、弾性抑制部材５にフランジ付きねじ５ｃを用いているため、フランジ部２１と被係合部４との間に係合部３が挟まれていれば、フランジ付きねじ５ｃを深くねじ込まなくても天井パネル２が外れてしまうことを防止できる。
【００３１】
なお、この実施形態において、弾性抑制部材５にフランジ付きねじ５ｃを用いたが、下に開口した略コ字型スペーサーを、係合部３と被係合部４を挟むように設けても良い。それ以外の構成及び取り付け手順については、前述実施形態と同じであり、効果についても同様の効果を奏する。
【図面の簡単な説明】
【００３２】
【図１】本願発明の第一〜第三の実施形態である天井パネルの取付構造の浴室を示す斜視図。
【図２】本願発明の第一及び第二の実施形態である天井パネルの取付構造の取り付け手順の一部を示す要部断面図。
【図３】本願発明の第一の実施形態である天井パネルの取付構造を示す要部断面図。
【図４】本願発明の第二の実施形態である天井パネルの取付構造を示す要部断面図。
【図５】本願発明の第三の実施形態である天井パネルの取付構造の取り付け手順の一部を示す要部断面図。
【図６】本願発明の第三の実施形態である天井パネルの取付構造を示す要部断面図。
【図７】従来例の天井パネルの取付構造を示す要部断面図。
【符号の説明】
【００３３】
１    壁パネル
２    天井パネル
３    係合部
４    被係合部
５    弾性抑制部材
５ａ  固定ビス
５ｂ  スペーサー
５ｃ  フランジ付きねじ
６    基材
７    化粧板
７ａ  立上り部
８    結合部材
９    内側立片
１０  返し片
１１  点検口
１２  結合部
１３  取付孔
１３ａ固定ビス取付孔
１３ｂスペーサー取付孔
１３ｃフランジ付きねじ取付孔
１４  係合片
１５  シール部材
１６  断熱材
１７  室内側立片
１８  天井部
１９  立片
２０  固定片
２１  フランジ部
【図１】
2006207148.tif 000003
【図２】
2006207148.tif 000004
【図３】
2006207148.tif 000005
【図４】
2006207148.tif 000006
【図５】
2006207148.tif 000007
【図６】
2006207148.tif 000008
【図７】
2006207148.tif 000009